(57)【要約】【課題】電波が弱い地域においても、可能な限りＡＦＴ（自動周波数調整）機能を動作させ、画像と音声をクリアに受信できる映像音声受像回路を提供する。【解決手段】音声中間周波信号を増幅するリミッター４２と、リミッター４２に接続されて音声中間周波信号の強度を検出するシグナル強度検出器４６と、シグナル強度検出器４６の出力電圧を一方の入力端子に接続し、他方の入力端子には基準電圧が印加され、出力端子はＡＦＴ回路３０に接続された比較回路３１とで構成され、比較回路３１は音声中間周波信号の強度が弱い際に出力電圧が切り替わりＡＦＴ回路３０の動作を停止させるスイッチ手段を備え、比較回路３１の基準電圧は最適設定ができるために、ＡＦＴ機能は入力信号が弱い際にもできる限り持続動作できる。【選択図】図１
2005252936.tif 000002
【特許請求の範囲】
【請求項１】
電圧制御発振回路と、この電圧制御発振回路の出力信号と映像中間周波信号との位相比較をする位相比較回路とを含む位相同期回路を用いて映像検波を行う映像受信回路と、前記位相比較回路の出力電圧を増幅するＡＦＴ回路と、音声中間周波信号を増幅するリミッターと、前記リミッターに接続されて音声中間周波信号の入力強度を検出するシグナル強度検出器と、前記シグナル強度検出器の出力電圧を第一の入力端子に接続し、第二の入力端子は閾値電圧を調整することができる基準電圧が印加され、出力端子は前記ＡＦＴ回路に接続されて、その動作を停止させるスイッチ手段を備えた比較回路とで構成され、前記比較回路の閾値電圧を調整してＡＦＴ回路の動作／停止の切り替えレベルを調整できることを特徴とする映像音声受信回路。
【請求項２】
前記シグナル強度検出器は、音声中間周波信号の入力強度を増幅するアンプ回路と、この信号をＤＣ電圧に変換するピークホールド回路とで構成され、前記アンプ回路のゲインを調整し、前記ＡＦＴ回路の動作／停止の切り替え強度を調整できることを特徴とする請求項１記載の映像音声受信回路。
【発明の詳細な説明】
【技術分野】
【０００１】
本発明は、映像音声受信回路に属し、中間周波数を自動調整するＡＦＴ回路に関する。
【背景技術】
【０００２】
近年、テレビジョン受信機は軽量化・小型化がすすみ、車載用のテレビやカーナビゲーションシステムへの搭載がすすんでいる。このような状況の中、電波の弱い地域においても映像信号と音声信号をできる限りクリアに受信したいという市場の要望が高まってきている。これらの課題を解決する技術にＡＦＴ（自動周波数調整）回路が知られており、その機能は大きく分けて２つある。
【０００３】
一つ目の機能は映像信号と音声信号をクリアに受信するために映像音声信号処理回路（ＶＩＦ／ＳＩＦ）に入力される映像中間周波数が、日本国内ならば常に一定の５８．７５ＭＨｚになるように、ＡＦＴ回路は図６のようなＳ字特性を出力してチューナ回路の局部発振器にフィードバックし周波数を自動調整するものである。この局部発振器の周波数は周囲温度や経時の変化による影響を受けるので、例えば、局部発振器の周波数が低い方にずれると、映像中間周波数は、日本国内であれば、正規の５８．７５ＭＨｚよりも高い方にずれ、ＡＦＴ回路の出力電圧は正規のセンター電圧よりも低くなり、この電圧がマイコンを介して局部発振器に送られ、局部発振器の周波数は高い方に補正されて正規の周波数に戻り、その結果、映像中間周波数は正規の５８．７５ＭＨｚになり、最良の受信映像と音声を得るようになる。
【０００４】
二つ目の機能は、このＡＦＴ回路のＳ字特性を利用して、全チャネルから受信可能なチャネルを自動選局するオートチューニングやオートプリセットと呼ばれる機能である。たとえば、選局周波数をｆ０とすると、信号有無判定はｆ０±ΔｆでのＡＦＴ出力信号のレベルを弁別し、受信可能か否かを判定し、可能であれば、この受信可能周波数・受信可能チャネル番号をメモリに格納する。
【０００５】
このようにＡＦＴ回路の出力電圧のＳ字特性を利用して、映像中間周波数の自動調整やオートチューニングを実施しているのであるが、電波が非常に弱くなると、このＳ字特性は乱れ不安定になり、オートチューニングや自動周波数調整機能が誤動作する可能性がある。このような悪影響をなくすために図７の如く弱入力信号時においてはＡＦＴ出力信号を強制的にセンター電圧にしてＡＦＴの動作を停止させるＡＦＴディフィート機能というものがある。
【０００６】
市場の要望は、電波が弱い地域においても、自動周波数調整機能を利用してクリアな映像信号や音声信号を受信し、またオートチューニング機能を利用してできる限り多くの受信可能なチャネルを識別したいというものであるから、ＡＦＴ回路が弱入力信号になってもできる限り、動作し続けることが重要である。しかしながら、入力信号が非常に弱くなるまでＡＦＴ回路を動作させ続けていれば、オートチューニングと自動周波数調整が誤動作する可能性がある。このため、ＡＦＴ回路の動作を停止するディフィート機能をＯＮ／ＯＦＦする切り替えレベルの設定が非常に重要である。
【０００７】
以下、従来の弱入力信号においてＡＦＴ回路の動作を停止させるディフィート制御について図８にしたがって説明する。
【０００８】
従来の弱入力信号におけるＡＦＴ回路を制御するシステムは大別して、アンテナ１０、このアンテナ１０で受信したテレビ高周波信号から希望のチャンネル周波数を選択し、映像中間周波数と音声中間周波数に変換するチューナ回路１０１、そして、この映像と音声の中間周波信号より映像と音声を検波する映像音声信号処理回路１００とで構成されている。
【０００９】
以上のように構成された従来の弱入力信号におけるＡＦＴ回路の出力特性を制御する回路の動作を説明する。
【００１０】
まず、アンテナ１０に受信されたＵＨＦ帯またはＶＨＦ帯のテレビ高周波信号は、高周波増幅回路１１で希望のチャンネル周波数を選局し増幅され、この高周波信号と局部発振器（Ｌｏｃａｌ  Ｏｓｃｉｌｌａｔｏｒ）の信号が１ｓｔミキサ回路１２でミキシングされ、例えば、日本国内であれば映像は５８．７５ＭＨｚ、音声は５４．２５ＭＨｚの中間周波数信号に変換される。
【００１１】
そして、映像中間周波数信号の５８．７５ＭＨｚの帯域通過フィルタの特性をもつ映像ＳＡＷフィルタ（表面弾性波フィルタ）１３によって映像中間周波信号のみが弁別され通過し、映像中間周波信号は映像中間周波アンプ２１によって増幅され映像検波器２２に印加される。また、映像中間周波アンプ２１の出力信号は、位相検波器（ＰＤ：Ｐｈａｓｅ  Ｄｅｔｅｃｔｉｏｎ）２６、低域通過フィルタ（ＬＰＦ）２７、映像電圧制御発振器（ＶＣＯ）２５、および移相器（ＰＳ：Ｐｈａｓｅ  Ｓｈｉｆｔ）２８からなるＰＬＬ回路２９にも印加される。
【００１２】
このＰＬＬ回路２９において、まず、映像電圧制御発振器２５の出力は、位相検波ができるように移相器２８によって位相が９０度シフトして位相検波器２６に入力され、映像中間周波アンプ２１から入力される入力信号との位相比較を行い、その出力は低域通過フィルタ２７で平滑化されて周波数制御電圧となり映像電圧制御発振器２５へフィードバックする。次に、移相器２８によって同期検波ができるように位相が０度シフトした信号が映像検波器２２に入力される。この結果、このＰＬＬ回路２９は、映像中間周波アンプ２１からの出力信号と移相器２８を介した映像電圧制御発振器２５の信号の位相がロックし、映像検波器２２は同期検波を行い、映像信号を出力する。
【００１３】
また、ＩＦＡＧＣ回路２４は、この同期検波された映像信号から中間周波信号の強弱を判断し、中間周波信号が弱ければ映像中間周波アンプ２１のゲインを高くし、逆に中間周波信号が強ければ映像中間周波アンプ２１のゲインを低くするように制御し、映像検波器２２の出力の映像信号の強度は常に一定となる。そして、映像アンプ２３によって増幅され、映像信号出力端子３６に映像信号が出力されることになる。
【００１４】
自動周波数調整を行うＡＦＴ回路３０の入力には、低域通過フィルタ２７を介して位相検波器２６に接続されており、正規の５８．７５ＭＨｚと映像中間周波アンプ２１を通した信号周波数の差分周波数に対応したＤＣ信号が印加され、この信号がＡＦＴ回路３０によって増幅され、この出力特性は映像中間周波数に対しては図６の如くＳ字特性を有しており、この信号がマイコン１６を介して局部発振器１５にフィードバックされる。この結果、受信周波数が変化した場合や、局部発振器１５の周波数が周囲温度や経時によって変化した場合においても、映像中間周波数が自動調整され、この周波数が常に、正規の５８．７５ＭＨｚになるように動作する。また、オートチューニングの際にはこのＳ字特性のＡＦＴ出力信号の有無によってマイコン１６によって選局チャネルの有無を判別して選局し、このマイコン１６に接続されたメモリ１７に選局した周波数を格納する。
【００１５】
一方、１ｓｔミキサ回路１２でミキシングされた５４．２５ＭＨｚの音声中間周波数は５４．２５ＭＨｚの帯域通過フィルタの特性をもつ音声ＳＡＷフィルタ１４を通して、音声中間周波アンプ３９で増幅され、その信号は２ｎｄミキサ回路４０によって、移相器２８を介して入力された映像電圧制御発振器２５の信号５８．７５ＭＨｚとミキシングされて４．５ＭＨｚの音声信号にダウンコンバージョンされ、帯域通過フィルタ（ＢＰＦ）４１によって、４．５ＭＨｚの音声成分が通過し、リミッター４２によって増幅され、４．５ＭＨｚの発振周波数をもつ第２の音声電圧制御発振器４５と接続されたＦＭ検波器４３で検波され、最終段の音声アンプ４４を通して音声信号出力端子５５に音声信号が出力されることとなる。
【００１６】
以上のように、図８のＡＦＴ回路３０の出力信号ＡＦＴＯＵＴ３３の特性は入力電波が比較的強いときには、図６の如く安定したＳ字特性であり、１ｓｔミキサ回路１２の出力の映像中間信号周波数が一定となるような制御が行われる。しかしながら、入力電波が非常に弱いときには、信号強度に対するノイズ強度の比が大きくなり、ＰＬＬ回路２９において正常に位相ロックせずＬＰＦ２７の出力信号は非常に不安定な状態となる。このため、ＡＦＴ回路３０は局部発振回路１５に安定した電圧を供給できず、その周波数は非常に不安定な状態になり、１ｓｔミキサ回路１２の映像中間周波数が一定とならず、映像ＳＡＷフィルタ１３は映像中間周波数５８．７５ＭＨｚのみを通過させる帯域通過フィルタの特性を有しているため、映像中間周波アンプ２１には、正規の中間周波数とは異なり、しかも減衰した映像中間周波信号が入力されることになり映像が正常に検波されなくなり、誤動作する可能性が生じる。このため、入力電波が弱いときはＡＦＴ回路３０の動作を強制的に停止するためのディフィート機能が設けられている。
【００１７】
図７は、映像中間周波数とＡＦＴ回路３０の出力電圧の関係を示したものであり、ＡＦＴ動作のディフィート機能とは、ある入力強度Ｖｉｎ１以上の入力信号では図中矢印７０のように入力周波数に対応した電圧を出力し、Ｖｉｎ１以下の弱入力信号では入力周波数に依らず強制的にセンター電圧にしてＡＦＴ動作を停止するものである。このＡＦＴディフィートの切り替え入力強度Ｖｉｎ１は図４に示すＩＦＡＧＣ回路２４の入力強度に対応した出力電圧３２の特性を利用しており、ＩＦＡＧＣ回路２４の出力電圧３２を一端に入力し、他端には弱入力Ｖｉｎ１の際に出力が反転動作するように閾値電圧Ｖｒｅｆ１をあらかじめ設定した比較器３１をＡＦＴ回路３０に接続することにより、弱入力信号ではＡＦＴ回路３０の動作は停止するように動作する。
【００１８】
このような構成により、ＡＦＴ回路３０の動作を停止させるＡＦＴディフィート機能をＯＮ／ＯＦＦする切り替えレベルを高く設定すると、弱入力ではＡＦＴ回路が動作せず、弱入力でも映像や音声を受信したいという市場要望を満足することができない。一方、そのレベルを低く設定すると、弱入力では、中間周波数信号は非常に不安定になり、映像信号や音声信号をクリアに受信できなくなり、誤動作の可能性が生じる。このため、切り替えレベルをどの程度の入力信号レベルに設定するのかが特に重要である。
【００１９】
なお、この出願の発明に関する先行技術文献情報としては、例えば特許文献１が知られている。
【特許文献１】特開平１−３１１７７８号公報
【発明の開示】
【発明が解決しようとする課題】
【００２０】
日本国内では映像帯域幅は例えば１ｃｈ当たり６ＭＨｚ程度であるのに対して、音声帯域幅は１ｃｈ当たり最大でも１００ｋＨｚ程度であり、映像帯域幅が音声帯域幅よりも広いため、一般に映像ＳＮは音声ＳＮよりも悪くなる。このため、映像ゲインは音声ゲインよりも低く設定する必要がある。このような理由により、映像系のＩＦＡＧＣ回路２４の出力電圧３２は図４の如く、入力信号が弱い際にはノイズ成分が増幅しないように、映像中間周波アンプ２１のゲインが一定レベルであり、ある強度以上ではゲインを可変するような特性を有している。
【００２１】
しかしながら上記従来の構成ではＡＦＴ回路３０の動作を停止するディフィート機能の閾値電圧４９は前述したようにＩＦＡＧＣ回路２４の出力電圧３２を利用し設定されており、閾値電圧４９は、最大電圧に近いＶｒｅｆ１に対応した入力強度Ｖｉｎ１が弱入力の限界で、入力強度は比較的高いレベルになってしまう。このため、特に車載等の移動体用として受信機が利用された場合、電波が弱い地域では、ＡＦＴ回路が有するオートプリセット機能や自動周波数調整機能を十分に活用することができなかった。
【００２２】
本発明は上記従来の問題を解決するもので、特に車載用途において、電波が弱い地域においても、できる限りＡＦＴ回路が有するオートプリセット機能や自動周波数調整機能を動作させ、電波の弱い地域においても対応できる映像音声受像回路を提供することを目的とする。
【課題を解決するための手段】
【００２３】
上記の課題を解決するために、請求項１の発明が講じた手段は、電圧制御発振回路と、この電圧制御発振回路の出力信号と映像中間周波信号との位相比較をする位相比較回路とを含む位相同期回路を用いて映像検波を行う映像受信回路と、前記位相比較回路の出力電圧を増幅するＡＦＴ回路と、音声中間周波信号を増幅するリミッターと、前記リミッターに接続されて音声中間周波信号の入力強度を検出するシグナル強度検出器と、前記シグナル強度検出器の出力電圧を第一の入力端子に接続し、第二の入力端子は閾値電圧を調整することができる基準電圧が印加され、出力端子は前記ＡＦＴ回路に接続されて、その動作を停止させるスイッチ手段を備えた比較回路とで構成され、前記比較回路の閾値電圧を調整してＡＦＴ回路の動作／停止の切り替えレベルを調整できることを特徴とする映像音声受信回路である。
【００２４】
請求項１の発明によると、特に車載用途において、電波が弱い地域においても、閾値電圧を調整して、できる限りＡＦＴ回路が有するオートプリセット機能や自動周波数調整機能を動作させ、電波の弱い地域においても対応できる映像音声受像回路を提供することが可能となる。
【００２５】
請求項２の発明では、前記シグナル強度検出器は、音声中間周波信号の入力強度を増幅するアンプ回路と、この信号をＤＣ電圧に変換するピークホールド回路とで構成され、前記アンプ回路のゲインを調整し、前記ＡＦＴ回路の動作／停止の切り替え強度を調整できることを特徴とする請求項１記載の映像音声受信回路である。
【００２６】
請求項２の発明によると、例えば、日本とアメリカ合衆国等の国の違いによって映像や音声のＳＡＷフィルタの減衰特性が異なる場合や、映像中間周波信号と音声中間周波信号の強度比（ＰＳ比）が異なる場合においても、ＡＦＴ回路を停止させる入力レベルを最適化することが可能である。
【発明の効果】
【００２７】
以上説明してきたように本発明の請求項１の映像音声受信回路では、弱入力に対してＡＦＴ回路が停止するように閾値電圧をあらかじめ最適設定した比較器をシグナル強度検出器とＡＦＴ回路との間に設けることにより、ＡＦＴ回路の出力電圧にはＡＦＴのＳ字特性が、弱入力においてもできる限り安定して出力され、局部発振器はミキサの出力に正規の映像中間周波数になるように動作し、特に車載等の移動体用途において、弱入力信号の地域でもクリアな映像信号と音声信号を受信できるようになるという優れた特性のＡＦＴディフィート回路が可能である。
【００２８】
また、本発明の請求項２の映像音声受信回路では、シグナル強度検出器のゲインを調整することができ、結果的に、ＡＦＴ回路を停止させる入力強度レベルを調整することができ、たとえば、国の違いによって映像と音声のＳＡＷフィルタの減衰特性が異なっていた場合や映像中間周波信号と音声中間周波信号の強度比（ＰＳ比）が異なる場合においても、ＡＦＴ回路を停止する入力レベルを最適化することが可能である。
【発明を実施するための最良の形態】
【００２９】
以下、本発明の実施形態について、図面を用いて説明する。
【００３０】
（第１の実施形態）
図１は本発明の実施の形態１におけるＡＦＴディフィート回路の構成を示すブロック図であり、従来例と同一部分は同一符号を用いている。
【００３１】
本構成では、シグナル強度検出器４６にリミッター４２を接続し、シグナル強度検出器４６の出力電圧４７を一端に入力し、他端には入力電波が弱い際に出力が反転動作するように閾値電圧Ｖｒｅｆ２をあらかじめ最適設定した比較器３１を設け、この比較器３１の出力はＡＦＴ回路３０に接続され、入力電波が弱いときにはＡＦＴ回路３０の動作が停止するディフィート機能を備えているものであり、従来のＩＦＡＧＣ回路２４の出力電圧３２を利用したＡＦＴディフィート機能に比べて、より弱入力信号時にＡＦＴディフィート機能が動作するように比較器３１の閾値電圧４９を設定することができる回路である。本実施形態に係るアンテナ１０、チューナ回路１０１、映像ＳＡＷフィルタ１３、音声ＳＡＷフィルタ１４、映像中間周波アンプ２１、映像検波器２２、映像アンプ２３、ＩＦＡＧＣ回路２４、ＰＬＬ回路２９、ＡＦＴ回路３０、マイコン１６、メモリ１７、音声中間周波アンプ３９、２ｎｄミキサ４０、帯域通過フィルタ４１、リミッター４２、ＦＭ検波器４３、音声アンプ４４、音声電圧制御発振器４５は、従来のものと同様の構成である。
【００３２】
以上のように構成された本発明のＡＦＴディフィート回路の動作を説明する。なお、ＡＦＴディフィート以外の構成や機能や従来と全く同様である。
【００３３】
まず、従来と同様に、図１のＡＦＴ回路３０の出力信号ＡＦＴＯＵＴ３３の特性は入力電波が比較的強いときには、図６の如く安定したＳ字特性であり、１ｓｔミキサ回路１２の出力の映像中間信号周波数が一定となるような制御が行われる。しかしながら、入力電波が非常に弱いときには、信号強度に対するノイズ強度の比が大きくなり、ＰＬＬ回路２９において正常に位相ロックせずＬＰＦ２７の出力信号は非常に不安定な状態となる。このため、ＡＦＴ回路３０は局部発振回路１５に安定した電圧を供給できず、その周波数は非常に不安定な状態になり、１ｓｔミキサ回路１２の映像中間周波数が一定とならず、映像ＳＡＷフィルタ１３は映像中間周波数５８．７５ＭＨｚのみを通過させる帯域通過フィルタの特性を有しているため、映像中間周波アンプ２１には、正規の中間周波数とは異なり、しかも減衰した映像中間周波信号が入力されることになり映像が正常に検波されなくなり、誤動作する可能性が生じる。このため、入力電波が弱いときはＡＦＴ回路３０の動作を強制的に停止するためのディフィート機能が設けられている。
【００３４】
図７は、映像中間周波数とＡＦＴ回路３０の出力電圧の関係を示したものであり、ＡＦＴ動作のディフィート機能とは、ある入力強度Ｖｉｎ２以上の入力信号では図中矢印７０のように入力周波数に対応した電圧を出力し、Ｖｉｎ２以下の弱入力信号では入力周波数に依らず強制的にセンター電圧にしてＡＦＴ動作を停止するものである。このＡＦＴディフィートの切り替え入力強度Ｖｉｎ２は図５に示すシグナル強度検出器４６の映像中間周波の入力強度に対応した出力電圧４７の特性を利用しており、シグナル強度検出器４６の出力電圧４７を一端に入力し、他端には弱入力Ｖｉｎ２の際に出力が反転動作するように閾値電圧Ｖｒｅｆ２をあらかじめ最適設定した比較器３１をＡＦＴ回路３０に接続することにより、弱入力信号ではＡＦＴ回路３０の動作は停止するように動作する。
【００３５】
このように上記本発明の構成ではＡＦＴ回路３０の動作を停止するディフィート機能の閾値電圧４９はシグナル強度検出器４６の出力電圧４７を利用し設定されており、前述したように音声帯域幅は映像帯域幅より狭いため中間周波の音声ＳＮは映像ＳＮよりもよく、映像系のＩＦＡＧＣ回路２４の特性とは異なり、中間周波の音声ＳＮが悪化する弱入力信号時においても、シグナル強度検出器４６の出力電圧４７は図５の如く入力強度に対応して出力され、閾値電圧４９は非常に弱入力信号にも対応するように最適設定することができる。このため、特に車載用途において、電波が弱い地域でもＡＦＴ回路３０が有するオートプリセット機能や自動周波数調整機能を十分に活用することができるようになり、その閾値電圧４９の最適化も可能である。
【００３６】
本発明では上記の通り、電波が弱い地域や場所においても、できる限りＡＦＴ回路が有するオートプリセット機能や自動周波数調整機能を動作させ、電波が弱い地域においても対応できる映像音声受像回路を提供することができる。
【００３７】
次に、請求項２のシグナル強度検出器４６の回路図２は図１に記載のシグナル強度検出器４６の部分を詳細に示す回路図である。また、図３はこの図２のシグナル強度検出器４６に接続される比較回路３１の詳細を示す回路図である。
【００３８】
シグナル強度検出器４６は差動アンプ回路６６とピークホールド回路６７を備え、入力強度に比例したＤＣ電圧が出力端６３と６４間に出力される。差動アンプ回路６６とピークホールド回路６７は一般的な回路であり、トランジスタＱ１０、Ｑ１１、Ｑ１２、Ｑ１３、抵抗Ｒ１０、Ｒ１１、Ｒ１２、Ｒ１３、Ｒ１４、Ｒ１５、Ｒ１６、Ｒ１７、容量Ｃ１０、定電流源Ｉ１０、Ｉ１１、Ｉ１２、および定電圧源Ｖ１０によって構成されている。
【００３９】
図１のリミッター回路４２の出力電圧５０は図２の差動アンプ回路６６の入力５０に接続されており、まず、入力信号は差動アンプ回路６６により増幅される。負荷抵抗Ｒ１７に接続される一方の出力電圧はトランジスタＱ１３を介し出力端子６４に出力されるのであるが、定電流源Ｉ１２の電流値は小さく、コンデンサＣ１０の値は大きいため、ＡＣ振幅をＤＣ電圧に変換するピークホールド回路の役目を果たす。一方、差動アンプ回路６６の出力電圧のセンター電圧は、一端を負荷抵抗Ｒ１６とＲ１７に接続して、他端を互いに接続した抵抗値の等しいＲ１４とＲ１５の接続端より取り出され、トランジスタＱ１２を介し出力端子６３に出力される。このようにして、入力強度に比例したＤＣ電圧が出力端６３と６４の間に出力されることになる。
【００４０】
差動アンプ回路６６のゲインの調整は、定電流値Ｉ１０、エミッタ抵抗値Ｒ１２、Ｒ１３、および負荷抵抗値Ｒ１６、Ｒ１７の調整により行われ、結果的に、ＡＦＴ回路の動作／停止の切り替えレベルを調整できる。仮に、図５に示した閾値電圧Ｖｒｅｆ２を一定と設定すれば、例えば、切り替えレベルを高く設定したければ差動アンプのゲインを低く設定し、逆に切り替えレベルを低くしたければ差動アンプのゲインを高く設定すればよい。
【００４１】
また、図３の比較回路３１は、ＡＦＴ回路３０の動作／停止を制御するために出力信号５１はＡＦＴ回路３０に接続され、その一方の入力端子はシグナル強度検出器４７に接続され、他方の入力端子はその閾値電圧を調整することができる閾値電圧５２に接続され、ＡＦＴ回路３０の動作／停止の切り替え強度を調整することができる。この回路は、トランジスタＱ２０、Ｑ２１、抵抗Ｒ２０、および定電流源Ｉ２０、Ｉ２１によって構成される。
【００４２】
閾値電圧４９はＶｒｅｆ２＝Ｒ２０＊Ｉ２０で決定される。例えば、切り替え強度を高くしたければ図５に示した閾値電圧Ｖｒｅｆ２を高くするために抵抗Ｒ２０の値か定電流源Ｉ２０の値を大きくし、逆に切り替え強度を低くしたければ図５に示した閾値電圧Ｖｒｅｆ２を低くするために抵抗Ｒ２０の値か定電流源Ｉ２０の値を小さくすればよい。
【００４３】
本発明では上記の通り、例えば、日本とアメリカ合衆国等の国の違いによって映像や音声のＳＡＷフィルタの減衰特性が異なる場合や、映像中間周波信号と音声中間周波信号の強度比（ＰＳ比）が異なる場合においても、ＡＦＴ回路を停止させる入力レベルを最適化することが可能である。
【００４４】
なお、本発明では映像中間周波数と音声中間周波数がそれぞれ日本国内の５８．７５ＭＨｚと５４．２５ＭＨｚとして説明したが、例えばアメリカ合衆国内では、それぞれ４５．７５ＭＨｚと４１．２５ＭＨｚであり、映像電圧制御発振器２５の発振周波数は４５．７５ＭＨｚとなることは言うまでもない。
【００４５】
また、本発明では差動アンプ６６のゲインや閾値電圧Ｖｒｅｆ２の設定をＩＣ内部の定数設定により行うとしたが、ＩＣ外部より制御しても可能であることは言うまでもない。
【産業上の利用可能性】
【００４６】
以上説明してきたように本発明の請求項１の映像音声受信回路では、弱入力に対してＡＦＴ回路が停止するように閾値電圧をあらかじめ最適設定した比較器をシグナル強度検出器とＡＦＴ回路との間に設けることにより、ＡＦＴ回路の出力電圧にはＡＦＴのＳ字特性が、弱入力においてもできる限り安定して出力され、局部発振器はミキサの出力に正規の映像中間周波数になるように動作し、特に車載等の移動体用途において、弱入力信号の地域でもクリアな映像信号と音声信号を受信できるようになるという優れた特性のＡＦＴディフィート回路が可能である。
【００４７】
また、本発明の請求項２の映像音声受信回路では、シグナル強度検出器のゲインを調整することができ、結果的に、ＡＦＴ回路を停止させる入力強度レベルを調整することができ、たとえば、国の違いによって映像と音声のＳＡＷフィルタの減衰特性が異なっていた場合や映像中間周波信号と音声中間周波信号の強度比（ＰＳ比）が異なる場合においても、ＡＦＴ回路を停止する入力レベルを最適化することが可能である。
【図面の簡単な説明】
【００４８】
【図１】本発明の実施の形態１におけるＡＦＴディフィート回路の図
【図２】本発明の実施の形態２におけるシグナル強度検出器の回路の図
【図３】本発明の実施の形態２におけるシグナル強度検出器に接続される比較器の回路の図
【図４】ＩＦＡＧＣ出力信号の映像中間周波信号の強度依存性を示す図
【図５】シグナル強度検出器出力信号の映像中間周波信号の強度依存性を示す図
【図６】ＡＦＴ出力信号の映像中間周波数依存性を示す図
【図７】ＡＦＴ出力信号の映像中間周波信号の強度依存性を示す図
【図８】従来のＡＦＴディフィート回路の図
【符号の説明】
【００４９】
１０  アンテナ
１１  高周波増幅回路
１２  １ｓｔミキサ
１３  映像ＳＡＷフィルタ
１４  音声ＳＡＷフィルタ
１５  局部発振回路
１６  マイコン
１７  メモリ
２１  映像中間周波アンプ
２２  映像検波器
２３  映像アンプ
２４  ＩＦＡＧＣ回路
２５  映像電圧制御発振器
２６  位相比較器
２７  ＬＰＦ（低域通過フィルタ）
２８  移相器
２９  ＰＬＬ回路
３０  ＡＦＴ回路
３１  比較器
３２  ＩＦＡＧＣ出力電圧
３３  ＡＦＴ出力電圧
３６  映像信号出力端子
３９  音声中間周波アンプ
４０  ２ｎｄミキサ
４１  ＢＰＦ（帯域通過フィルタ）
４２  リミッター
４３  ＦＭ検波器
４４  音声アンプ
４５  音声電圧制御発振器
４６  シグナル強度検出器
４７  シグナル強度検出器出力電圧
４９  閾値電圧電源
５０  シグナル強度検出器入力信号
５１  比較器出力信号
５２  閾値電圧
５５  音声信号出力端子
６０  ＶＣＣ端子
６１  ＧＮＤ端子
６６  差動アンプ
６７  ピークホールド回路
１０１  チューナ回路
１００  映像音声信号処理回路
Ｑ１０〜Ｑ１３  トランジスタ
Ｒ１０〜Ｒ１７  抵抗
Ｃ１０  容量
Ｉ１０〜Ｉ１２  定電流源
Ｖ１０  定電圧源
Ｑ２０〜Ｑ２１  トランジスタ
Ｒ２０  抵抗
Ｉ２０〜Ｉ２１  定電流源
【図１】
2005252936.tif 000003
【図２】
2005252936.tif 000004
【図３】
2005252936.tif 000005
【図４】
2005252936.tif 000006
【図５】
2005252936.tif 000007
【図６】
2005252936.tif 000008
【図７】
2005252936.tif 000009
【図８】
2005252936.tif 000010